(57)【要約】【課題】様々な平面形式、段数、勾配などに容易に対応可能な構造を有する階段を提供するとともに、様々な平面形式の階段に共通して使用することができる階段用柱材を提供すること。【解決手段】階段奥行き方向に適宜な間隔をあけて連設された複数の柱材１１（１１’）からなる柱列部１０と、この柱列部１０の側面に沿って連設された複数の踏板２０（２０’）とで階段を構成する。また、各踏板２０（２０’）は、支持部材３０（３０’）を介して隣接する柱材１１（１１’）に支持させる。【選択図】            図２
2004218240.tif 000002
【特許請求の範囲】
【請求項１】
階段奥行き方向に連設された複数の柱材からなる柱列部と、当該柱列部の側面に沿って連設された複数の踏板とを有する階段であって、
前記各踏板が、支持部材を介して隣接する前記柱材に支持されていることを特徴とする階段。
【請求項２】
前記柱材に、階段奥行き方向に連続する二以上の前記踏板が支持されていることを特徴とする請求項１に記載の階段。
【請求項３】
前記柱材の対向する二つの側面のそれぞれに前記踏板が支持されていることを特徴とする請求項１又は請求項２に記載の階段。
【請求項４】
前記各支持部材は、前記踏板の裏面に沿って配置されるとともに、前記柱材に片持ち支持され、
階段奥行き方向に隣り合う前記支持部材の先端部同士が互いに連結されていることを特徴とする請求項１乃至請求項３のいずれか一項に記載の階段。
【請求項５】
前記踏板の先端部が鉛直方向に立設する支柱によって支持されていることを特徴とする請求項１乃至請求項４のいずれか一項に記載の階段。
【請求項６】
前記柱列部が前記各踏板の両側に配置され、
前記踏板は、左右に対向する前記柱材の側面間に架設されていることを特徴とする請求項１に記載の階段。
【請求項７】
階段奥行き方向に隣り合う前記柱材同士が柱連結材によって互いに連結されていることを特徴とする請求項１乃至請求項６のいずれか一項に記載の階段。
【請求項８】
前記柱連結材は、前記柱材の側面と面一に配置された板材であることを特徴と請求項７に記載の階段。
【請求項９】
前記支持部材は、複数のフレーム材で構成され、
当該複数のフレーム材により鉛直面に平面トラスが形成されていることを特徴とする請求項１乃至請求項８のいずれか一項に記載の階段。
【請求項１０】
奥行き方向に隣り合う前記柱材の間に、収納スペースが設けられていることを特徴とする請求項１乃至請求項９のいずれか一項に記載の階段。
【請求項１１】
押出形材からなる階段用柱材であって、
鉛直方向に立設される本体部と、当該本体部の外側面にその長手方向に沿って形成された接続部とを備え、
前記接続部は、前記本体部に隣接して配置される踏板を支持する支持部材の端部が接合可能であることを特徴とする階段用柱材。
【請求項１２】
前記接続部の外側面に、前記支持部材の端部が嵌合可能な連結溝が形成されていることを特徴とする請求項１１に記載の階段用柱材。
【請求項１３】
前記接続部が踏面寸法間隔をあけて複数並んでいることを特徴する請求項１１又は請求項１２に記載の階段用柱材。
【請求項１４】
前記接続部が前記本体部の対向する二つの側面に形成されていることを特徴とする請求項１１乃至請求項１３のいずれか一項に記載の階段用柱材。
【発明の詳細な説明】
【０００１】
【発明の属する技術分野】
本発明は、階段および階段用柱材に関する。
【０００２】
【従来の技術】
階段には、直階段、廻り階段、折返し階段など様々な平面形式のものがあるが、いずれの形式の階段においても、上下階間に架設した桁（側桁、ささら桁、中桁など）や階段室の壁面で踏板を支持するのが一般的である（例えば、非特許文献１参照。）。
【０００３】
また、このような階段は、施工現場において手作業により構築されるのが一般的であるが、構築作業の軽減化や品質の安定化を図ることを目的として、工場等でユニット化したものを施工現場で組み立てる場合もある（例えば、特許文献１及び特許文献２参照。）。
【０００４】
【非特許文献１】
社団法人日本建築学会，「構造用教材」，第２版，１９９５年１２月２５日，ｐ．９４−９５
【特許文献１】
特許第２５６６１０２号公報（全頁）
【特許文献２】
特許第２５６６１０３号公報（全頁）
【０００５】
【発明が解決しようとする課題】
しかし、階段の平面形式、段数、勾配などは、建物ごとに異なるため、階段を構築する際には、これら条件に合わせてその都度階段を構成する部材を加工しなければならず、その効率が悪い。また、生産・作業効率を向上させるべく、階段の寸法を規格化すると、結果として間取りの自由度が制限されるため、多様化する消費者のニーズに対応できないといった欠点がある。
【０００６】
そこで、本発明は、様々な平面形式、段数、勾配などに容易に対応可能な構造を有する階段を提供することを課題とし、さらには、様々な平面形式の階段に共通して使用することができる階段用柱材を提供することを課題とする。
【０００７】
【課題を解決するための手段】
このような課題を解決するために、請求項１の発明は、階段奥行き方向に連設された複数の柱材からなる柱列部と、当該柱列部の側面に沿って連設された複数の踏板とを有する階段であって、前記各踏板が、支持部材を介して隣接する前記柱材に支持されていることを特徴とする。
【０００８】
かかる階段は、柱列部を構成する複数の柱材のそれぞれに踏板を支持させたものである。そして、この柱材の配置パターンを変えることで、様々な平面形式の階段を構成することができる。例えば、複数の柱材を平面視して直線状に連設すれば、直階段を構成することができ、平面視してＬ字状又はコ字状に連設すれば、いわゆる折曲り階段を構成することができる。また、階段の段数を変更する場合には、柱材の本数を増減させるだけでよい。
【０００９】
請求項２の発明は、請求項１に記載の階段であって、前記柱材に、階段奥行き方向に連続する二以上の前記踏板が支持されていることを特徴とする。
【００１０】
かかる階段によると、踏板の段数よりも少ない本数の柱材で階段を構成することができるので、非常に経済的である。
【００１１】
請求項３の発明は、請求項１又は請求項２に記載の階段であって、前記柱材の対向する二つの側面のそれぞれに前記踏板が支持されていることを特徴とする。
【００１２】
かかる階段は、柱材（柱列部）を挟んでその両側に直階段が配置されるいわゆる折返し階段であるが、踏板（支持部材）が柱材の両側に張り出すことになるので、バランスがよい。
【００１３】
請求項４の発明は、請求項１乃至請求項３のいずれか一項に記載の階段であって、前記各支持部材は、前記踏板の裏面に沿って配置されるとともに、前記柱材に片持ち支持され、階段奥行き方向に隣り合う前記支持部材の先端部同士が互いに連結されていることを特徴とする。
【００１４】
かかる階段によると、支持部材が柱材に片持ち支持されているので、支持部材の先端を階段室の壁面に固定する必要がない。すなわち、階段室の壁、柱、梁などから独立して階段を設置することができる。したがって、階段室のない場所にも容易に設置することができ、また、踏板が階段室の壁面等に接触しないため、階段昇降時の騒音・振動が階段室に隣接する部屋内に伝わることがない。また、片持ち支持されている支持部材の先端部がその隣に位置する他の支持部材と一体にされるので、階段昇降時において支持部材が階段奥行き方向に変形することがない。また、一の支持部材に作用する鉛直方向の荷重がその隣に位置する他の支持部材に分散することになるので、支持部材の軽構造化を図ることができる。
【００１５】
請求項５の発明は、請求項１乃至請求項４のいずれか一項に記載の階段であって、前記踏板の先端部が鉛直方向に立設する支柱によって支持されていることを特徴とする。
【００１６】
かかる階段によると、片持ち支持された踏板の先端が支柱によって支持されるので、階段昇降時に発生する踏板の鉛直方向への変位・変形を抑制することができる。
【００１７】
請求項６の発明は、請求項１に記載の階段であって、前記柱列部が前記各踏板の両側に配置され、前記踏板は、左右に対向する前記柱材の側面間に架設されていることを特徴とする。
【００１８】
かかる階段によると、支持部材が両端支持となるので、階段昇降時に発生する踏板の鉛直方向への変位・変形を抑制することができる。また、踏板の両側に柱列部が位置して手摺壁や間仕切りの役目を果たすので、外階段等に好適である。
【００１９】
請求項７の発明は、請求項１乃至請求項６のいずれか一項に記載の階段であって、階段奥行き方向に隣り合う前記柱材同士が柱連結材によって互いに連結されていることを特徴とする。
【００２０】
かかる階段によると、階段奥行き方向に隣り合う柱材が一体になるので、階段全体の強度・剛性が向上する。
【００２１】
請求項８の発明は、請求項７に記載の階段であって、前記柱連結材は、前記柱材の側面と面一に配置された板材であることを特徴とする。
【００２２】
かかる階段によると、複数の柱材が一体になるとともに、その側面が壁面になるので、当該壁面を手摺壁や他の部屋との間仕切り壁として利用することができる。
【００２３】
請求項９の発明は、請求項１乃至請求項８のいずれか一項に記載の階段であって、前記支持部材は、複数のフレーム材で構成され、当該複数のフレーム材により鉛直面に平面トラスが形成されていることを特徴とする。
【００２４】
かかる階段によると、支持部材が軽構造ながらも剛性が高い平面トラスなので、階段全体の軽構造化を図ることができ、また、階段昇降時において踏板に発生する鉛直方向への変位・変形も非常に小さい。
【００２５】
請求項１０の発明は、請求項１乃至請求項９のいずれか一項に記載の階段であって、奥行き方向に隣り合う前記柱材の間に、収納スペースが設けられていることを特徴とする。
【００２６】
かかる階段によると、奥行き方向に隣り合う柱材の間の空間を有効に利用することができる。なお、収納スペースは、収納棚、郵便受け、配管スペース等として利用される。
【００２７】
請求項１１の発明は、押出形材からなる階段用柱材であって、鉛直方向に立設される本体部と、当該本体部の外側面にその長手方向に沿って形成された接続部とを備え、前記接続部は、前記本体部に隣接して配置される踏板を支持する支持部材の端部が接合可能であることを特徴とする。
【００２８】
かかる階段用柱材によると、様々な平面形式の階段を容易に構築することができる。例えば、複数の階段用柱材を平面視して直線状に連設するとともに、各階段用柱材に支持部材を接合し、この支持部材に踏板を支持固定すると直階段になり、複数の階段用柱材を平面視してＬ字状又はコ字状に連設するとともに、各階段用柱材に支持部材を接合し、この支持部材に踏板を支持固定するいわゆる折曲り階段になる。また、接続部が本体部の長手方向に沿って形成されているので、支持部材の取付高さを自由に調節することができる。
【００２９】
請求項１２の発明は、請求項１１に記載の階段用柱材であって、前記接続部の外側面に、前記支持部材の端部が嵌合可能な連結溝が形成されていることを特徴とする。
【００３０】
かかる階段用柱材によると、支持部材の端部を柱材の連結溝に嵌合するだけで、支持部材を階段用柱材に接合することができるので、階段の構築作業が容易になる。また、支持部材の接合に際して溶接や特別な工具を必要としないので、作業効率も高い。さらに、連結溝が長手方向に沿って形成され、かつ、長手方向に等断面を有しているので、支持部材の接合位置を調節することができる。
【００３１】
請求項１３の発明は、請求項１１又は請求項１２に記載の階段用柱材であって、前記接続部が踏面寸法間隔をあけて複数並んでいることを特徴する。
【００３２】
かかる階段用柱材によると、一つの階段用柱材に階段奥行き方向に連続する二以上の支持部材を接合することができる。すなわち、一つの階段用柱材で階段奥行き方向に連続する二以上の踏板を支持することができるので、経済的である。
【００３３】
請求項１４の発明は、請求項１１乃至請求項１３のいずれか一項に記載の階段用柱材であって、前記接続部が前記本体部の対向する二つの側面に形成されていることを特徴とする。
【００３４】
かかる階段用柱材によると、対向する二つの側面に支持部材を接合することができるので、いわゆる折返し階段を構築する場合に好適である。
【００３５】
【発明の実施の形態】
以下、本発明の実施の形態を、添付した図面を参照して詳細に説明する。なお、同一の要素には同一の符号を付し、重複する説明は省略する。また、以下の説明においては、階段の上り方向を向いたときの手前側を「前」とし、奥側を「後」とする。
【００３６】
本実施形態に係る階段は、図１および図２に示すように、階段奥行き方向に適宜な間隔をあけて連設された複数の階段用柱材１１（以下、柱材１１という。）からなる柱列部１０と、この柱列部１０の側面に沿って連設された複数の踏板２０とを主要部として構成されている。なお、図２は、図１に示す階段の一部を示す斜視図であるが、踏板２０の一部および壁体Ｗを省略してある。また、各踏板２０は、その裏面に沿って配置された支持部材３０を介して柱列部１０の柱材１１に支持されている。
【００３７】
すなわち、本実施形態に係る階段は、柱材１１と、この柱材１１の側方に向かって張り出す支持部材３０と、支持部材３０の上面に支持された踏板２０とからなる複数のユニットを階段奥行き方向に連設して構成されたものであり、当該ユニット（柱材１１）の配置パターンを変えることで、様々な平面形式の階段を容易に構成することができる。例えば、図１に示すように、複数の柱材１１を平面視してコ字形状に配置すれば、いわゆる折曲り階段を構築することができ、図１２（ａ）に示すように、複数の柱材１１を平面視して直線状に連設すれば、直階段を構成することができる。さらに、図１２（ｂ）に示すように、複数の柱材１１を円弧状に連設すれば、回り階段を構成することもできる。また、階段の段数を変更する場合には、柱材１１の数を増減させるだけでよい。
【００３８】
次に、三方が壁体Ｗに囲まれた階段室内に折曲り階段を構成した場合（図１参照）を例に、本実施形態に係る階段および階段用柱材をより詳細に説明する。
【００３９】
なお、以下では、図１に示すように、柱列部１０の二箇所の隅部を廻り部Ｃ１，Ｃ２と称するとともに、下階Ｆ１と廻り部Ｃ１とを連通する部位を直線部Ｓ１と、廻り部Ｃ１，Ｃ２を連通する部位を直線部Ｓ２と、廻り部Ｃ２と上階Ｆ２とを連通する部位を直線部Ｓ３と称する。また、柱列部１０を構成する複数の柱材１１のうち、柱列部１０の隅部に配置されたものを区別する場合には「隅柱材１１’」と称する。
【００４０】
本実施形態に係る階段は、図１に示すように、階段室の壁体Ｗと対向して配置された柱列部１０と、この柱列部１０の側面に沿って連設された複数の踏板２０とを主要部として構成されている。また、各踏板２０は、柱列部１０の側面からその側方へ張り出す支持部材３０に支持固定されている。
【００４１】
１．柱列部
柱列部１０は、図１および図２に示すように、階段奥行き方向に踏面寸法と等しい間隔をあけて平面視コ字状に連設された複数の柱材１１と、階段奥行き方向に隣り合う柱材１１，１１を互いに連結する柱連結材１５とから構成されている。
【００４２】
また、各柱材１１には、その側面に二つの支持部材３０，３０が接合され、各支持部材３０の上面に踏板２０が支持固定されている。すなわち、階段奥行き方向に連続する二つの踏板２０，２０が、それぞれ支持部材３０を介して隣接する柱材１１に支持されている。また、隅柱材１１’には、連続する４つの踏板２０，２０’が支持部材３０，３０’を介して支持されている。
【００４３】
（柱材）
柱材１１は、アルミニウム合金製の中空押出形材からなり、図３に示すように、鉛直方向に立設される本体部１２と、この本体部１２の外側面にその長手方向（鉛直方向）に沿って形成された接続部１３とを備えている。
【００４４】
本体部１２は、本実施形態では、図４（ａ）に示すように、前面板１２ｃと、この前面板１２ｃに対向する後面板１２ｄと、前面板１２ｃおよび後面板１２ｄの側端に位置する側面板１２ａ，１２ｂとで角柱状に形成され、さらに、その対角線上に補強板１２ｅ，１２ｅが一体に設けられている。すなわち、柱材１１は、本体部１２の内部が中空であるため非常に軽量であり、さらに本体部１２の内部が補強板１２ｅ，１２ｅで補強されているので鉛直荷重に強い断面構造を有している。また、本実施形態では、対向する二つの側面板１２ａ，１２ｂの両端に、接続部１３，１３が形成されている。すなわち、本体部１２の四隅のそれぞれに接続部１３が形成されている。
【００４５】
接続部１３は、図４（ａ）に示すように、その外面に連結溝１３ａを二つ備えている。また、各接続部１３において、二つの連結溝１３ａのうち、一方の連結溝１３ａは前面板１２ｃもしくは後面板１２ｄと同一平面上に形成され、他方の連結溝１３ａは側面板１２ａもしくは側面板１２ｂと同一平面上に形成されている。
【００４６】
連結溝１３ａは、接続部１３の長手方向（鉛直方向）に等断面を有し、後記する支持部材３０の端部および柱連結材１５の端部が嵌合可能である（図３参照）。また、図４（ａ）に示すように、連結溝１３ａの内壁には凹凸が形成されている。
【００４７】
また、階段奥行き方向に隣り合う接続部１３，１３のうち、支持部材３０側に開口する連結溝１３ａ，１３ａの間隔は、踏面寸法に設定されている。したがって、階段奥行き方向に隣り合う連結溝１３ａ，１３ａのそれぞれに支持部材３０を接合すると、階段奥行き方向に隣り合う支持部材３０，３０も踏面寸法間隔をあけて並ぶことになる。
【００４８】
また、図４（ｂ）に示す隅柱材１１’は、図４（ａ）に示す柱材１１と同様の構成であるが、側面板１２ｂの略中央に本体部１２の長手方向に沿って接続部１４が形成され、接続部１４の外面には、接続部１３に形成された連結溝１３ａと同一断面形状の連結溝１４ａが本体部１２の長手方向（鉛直方向）に沿って形成されている。また、本体部１２の四隅に位置する接続部１３のうちの二つには、三つの連結溝１３ａが形成されている。
【００４９】
なお、柱材１１および隅柱材１１’の形態は、図示のものに限定されることはなく、適宜変更しても差し支えない。例えば、柱材１１および隅柱材１１’の断面形状は、長方形に限らず正方形であってもよく、さらには、円形や楕円形であってもよい。また、接続部１３の配置や個数も適宜変更しても差し支えない。
【００５０】
また、連結溝１３ａの個数や配置も図示のものに限定されることはなく、適宜変更しても差し支えない。すなわち、図示は省略するが、柱材の各接続部に、それぞれ異なる方向に開口する三つ以上の連結溝を形成しておけば、前記した支持部材３０，３０’や柱連結材１５の接続方向の自由度が増し、一種類の柱材で様々な平面形式の階段に対応できるようになる。
【００５１】
（柱連結材）
柱連結材１５は、アルミニウム合金製の板材であり、図３に示すように、その両側端に柱材１１の連結溝１３ａに嵌合可能な接続端部１５ａが形成されている。
【００５２】
柱連結材１５を柱材１１に接合する場合には、図３に示すように、柱材１１の上端面側から柱連結材１５の接続端部１５ａを柱材１１の連結溝１３ａに嵌合（挿入）すればよい。
【００５３】
また、柱材１１の連結溝１３ａが側面板１２ａ，１２ｂと同一平面上に形成されているので、この連結溝１３ａに柱連結材１５の接続端部１５ａを嵌合すると、図４（ａ）に示すように、柱連結材１５と柱材１１の側面板１２ａ，１２ｂ（柱材１１の側面）とが面一になる。
【００５４】
なお、本実施形態では、柱連結材１５を板材で構成したが、これに限定されることはなく、例えば、図示は省略するが、両端に接続端部を有するフレーム材で構成してもよい。
【００５５】
２．踏板
直線部Ｓ１〜Ｓ３の踏板２０は、図１および図２に示すように、平面視して長方形を呈し、廻り部Ｃ１，Ｃ２の踏板２０’は平面視して略三角形を呈している。また、踏板２０，２０’は、木製や金属製などその材質は問わないが、鉛直荷重によりその中央部に発生する曲げモーメントに対して耐え得る剛性・強度を保有する材質・構造のものを使用する。なお、図８（ｂ）に示すように、必要に応じて、上下方向に隣り合う踏板２０，２０間に蹴込み板２１を配設してもよい。
【００５６】
３．支持部材
直線部Ｓ１〜Ｓ３の支持部材３０は、図５に示すように、柱材１１の側面からその側方へ向かって水平に張り出す第一支持フレーム材３１と、同じく斜め上方もしくは斜め下方に張り出す第二支持フレーム材３２，３２と、第一支持フレーム材３１および第二支持フレーム材３２の先端を連結するハブ３３とから構成され、これら複数のフレーム材（第一支持フレーム材３１および第二支持フレーム材３２，３２）により鉛直面に平面トラスが形成されている。また、支持部材３０は、全体として柱列部１０の柱材１１に片持ち支持されている。
【００５７】
第一支持フレーム材３１は、図６（ａ）（ｂ）に示すように、その両端に偏平状の接続端部３１ａを有し、上面に踏板支持部３１ｂを有している。
【００５８】
第一支持フレーム材３１の接続端部３１ａは、柱材１１の連結溝１３ａ（図４参照）に嵌合可能であり、図６（ｂ）に示すように、その先端部には連結溝１３ａの内壁の凹凸と係合する凹凸が軸線Ｐ１に直交する方向に形成されている。また、接続端部３１ａの先端は軸線Ｐ１に直交する方向に切断されている。なお、本実施形態では、図４（ａ）に示すように、第一支持フレーム材３１の接続端部３１ａは、柱連結材１５の接続端部１５ａと同一の断面形状に形成されている。
【００５９】
このような第一支持フレーム材３１は、図６（ｃ）に示す断面形状を有するアルミニウム合金製の中空押出形材を適宜な長さで切断し、さらにその両端の上部（図６（ｂ）中の符号３１ｃの部位）を切除したうえで、その両端において、対向する二辺を内側に潰し（図６（ｄ）参照）、さらに残りの二辺を内側に押し潰すことで形成される（図６（ｅ）参照）。
【００６０】
第二支持フレーム材３２は、アルミニウム合金製の中空押出形材を加工したものであり、図７（ａ）（ｂ）に示すように、その両端に偏平状の接続端部３２ａを有している。
【００６１】
第二支持フレーム材３２の接続端部３２ａは、第一支持フレーム材３１の接続端部３１ａと同一の断面形状を有し、柱材１１の連結溝１３ａ（図４（ａ）参照）に嵌合可能である。また、接続端部３２ａの先端にも、凹凸が形成されているが、その方向は、第二支持フレーム材３２の軸線Ｐ２に対して角度α（以下、コイン角αとする）をなす方向である。したがって、第二支持フレーム材３２は、その軸線Ｐ２が柱材１１の軸線方向に対してコイン角αだけ傾斜した状態で柱材１１の連結溝１３ａに接続される。
【００６２】
第一支持フレーム材３１および第二支持フレーム材３２を柱材１１に接合する場合には、図３に示すように、柱材１１の上端面側から第一支持フレーム材３１の接続端部３１ａおよび第二支持フレーム材３２の接続端部３２ａを連結溝１３ａに嵌合（挿入）すればよい。このとき、溶接や特別な工具を必要としないので、施工性がよい。なお、連結溝１３ａと接続端部３１ａ，３２ａとの間に生じる微細な隙間を埋めるべく、連結溝１３ａに接着剤などを流し込んでもよい。また、連結溝１３ａには、各支持フレーム材３１，３２が上下方向にずれないように、連結溝１３ａと同一の寸法・形状を有する溝埋部材（図示せず）を各支持フレーム材３１，３２の上下に挿入する。
【００６３】
第一支持フレーム材３１および第二支持フレーム材３２を柱材１１に接合すると、接続端部３１ａ，３２ａと連結溝１３ａの双方に形成した凹凸が互いに係合するので（図４（ａ）参照）、第一支持フレーム材３１および第二支持フレーム材３２がその軸線方向に引き抜かれることがない。また、第一支持フレーム材３１の接続端部３１ａおよび第二支持フレーム材３２の接続端部３２ａは、柱材１１の軸線方向（鉛直方向）に長い偏平状に形成されていることから（図３参照）、柱材１１の軸線方向（鉛直方向）の外力に対しては、強度的に強いジョイント構造が形成される。
【００６４】
ハブ３３は、図３に示すように、本実施形態では、断面楕円形であり、ハブ３３の外周面には３つの連結溝３３ａがハブ３３の軸線方向に沿って形成されている。また、ハブ３３は、アルミニウム合金製の押出形材からなり、連結溝３３ａは、アルミニウム合金を押出成形する際に形成される。なお、ハブ３３は、鋳造により製作してもよい。
【００６５】
ハブ３３の連結溝３３ａは、第一支持フレーム材３１の接続端部３１ａの先端部分および第二支持フレーム材３２の接続端部３２ａの先端部分と同一の断面形状であり、図示は省略するが、連結溝３３ａの内壁面には、接続端部３１ａ，３２ａの凹凸と係合する凹凸が形成されている。
【００６６】
また、本実施形態では、図８（ａ）に示すように、階段奥行き方向に隣り合うハブ３３，３３が第一連結フレーム材４１，４２で互いに連結されている。すなわち、階段奥行き方向に隣り合う支持部材３０，３０の先端部同士が互いに連結されている。なお、第一連結フレーム材４１，４２の構成は、前記した第二支持フレーム材３２と同様なので、詳細な説明は省略する。
【００６７】
第一支持フレーム材３１，第二支持フレーム材３２および第一連結フレーム材４１，４２をハブ３３に接合する場合には、図３に示すように、ハブ３３の上端面側あるいは下端面側から各フレーム材の接続端部を連結溝３３ａに嵌合（挿入）すればよい。また、ハブ３３の上下面には、各フレーム材の上下方向への抜出しを防止するための抜止プレート３３ｂがドリルビス等の固着具により固定されている。
【００６８】
廻り部Ｃ１，Ｃ２の支持部材３０’は、図２に示すように、隅柱材１１’の側面からその側方へ向かって放射状に張り出す二本の第一支持フレーム材３１，３１’から構成され、これらの先端部が下階Ｆ１に立設された支柱５０，５０’によって支持されている。すなわち、廻り部Ｃ１，Ｃ２では、二本の第一支持フレーム材３１，３１’  によって一枚の踏板２０’が支持されている。また、支柱５０，５０’は、複数の第二連結フレーム材５１，５２によって互いに連結されている。
【００６９】
支柱５０，５０’は、アルミニウム合金製の押出形材からなり、その外周面に前記したハブ３３の連結溝３３ａと同一断面形状の連結溝を有している。
【００７０】
第二連結フレーム材５１，５２の構成は、それぞれ前記した第二支持フレーム材３２と同様なので、詳細な説明は省略する。
【００７１】
次に、以上のように構成された本実施形態に係る階段の構築手順を、図９乃至図１１を参照して詳細に説明する。なお、以下では、直線部Ｓ１と廻り部Ｃ１とを構築する場合を例示するが、直線部Ｓ２，Ｓ３および廻り部Ｃ２も同様の手順で構築することができる。
【００７２】
まず、図９に示すように、下階Ｆ１の床面上に階段奥行き方向に沿って複数の柱材１１（隅柱材１１’）を立設するとともに、隣り合う柱材１１，１１を柱連結材１５で互いに連結して柱列部１０を形成する。また、隅柱材１１’の周囲に支柱５０，５０’を立設し、これらを第二連結フレーム材５１，５２で互いに連結して一体にする。
【００７３】
次に、図１０に示すように、各柱材１１に支持部材３０を接合するとともに、隅柱材１１’に支持部材３０’を接合する。より詳細には、第二支持フレーム材３２，３２、第一支持フレーム材３１を柱材１１の接続部１３に接合するとともに、第一支持フレーム材３１の先端と第二支持フレーム材３２，３２の先端とをハブ３３で連結して直線部Ｓ１の支持部材３０を形成し、また、第一支持フレーム材３１，３１’の一端を隅柱材１１’の接続部１３’に接合するとともに、第一支持フレーム材３１，３１’をそれぞれ支柱５０，５０’に接合して廻り部Ｃ１の支持部材３０’を形成する。
【００７４】
続いて、図１１に示すように、直線部Ｓ１において、階段奥行き方向に隣り合う支持部材３０，３０の先端同士、すなわち、階段奥行き方向に隣り合うハブ３３，３３を第一連結フレーム材４１，４２で互いに連結する。また、ハブ３３の上下面に抜止プレート３３ｂをドリルビス等の固着具により固定し、各フレーム材の上下方向への抜出しを防止する。
【００７５】
最後に、直線部Ｓ１において、第一支持フレーム材３１の踏板支持部３１ｂの上面に踏板２０を載置し、図示しないドリルビスなどで第一支持フレーム材３１と踏板２０とを一体に固定する。また、廻り部Ｃ１においては、第一支持フレーム材３１，３１’（図１０参照）の上面に踏板２０’を載置し、図示しないドリルビスなどで第一支持フレーム材３１，３１’と踏板２０’とを一体に固定する。なお、廻り部Ｃ１の踏板２０’は、その先端部が鉛直方向に立設された支柱５０，５０’に支持されることになる。また、必要に応じて、上下方向に隣り合う踏板２０，２０に蹴込み板２１を取り付ける。
【００７６】
以上のように、本実施形態に係る階段によると、図２に示すように、直線部Ｓ１〜Ｓ３の支持部材３０が柱材１１に片持ち支持され、また、廻り部Ｃ１，Ｃ２の支持部材３０’は、その基端部が隅柱材１１’に支持されるとともに、その先端部が階下Ｆ１の床面に立設された支柱５０，５０’に支持されているので、支持部材３０，３０’の先端を階段室の壁体Ｗ（図１参照）に固定する必要がない。すなわち、本実施形態に係る階段は、階段室の壁、柱、梁などから独立して設置することができる。したがって、階段室のない場所にも容易に設置することができ、また、踏板２０，２０’が階段室の壁体Ｗ（図１参照）に接触しないため、階段昇降時の騒音・振動が階段室に隣接する部屋内に伝わることがない。
【００７７】
また、図２に示すように、階段奥行き方向に隣り合う柱材１１，１１が柱連結材１５により一体にされているので、階段全体の強度・剛性が高い。加えて、柱材１１の側面と柱連結材１５，１５とにより、柱列部１０の側面が壁面になるので、柱列部１０を手摺壁や他の部屋との間仕切り壁として利用することができる。
【００７８】
さらに、直線部Ｓ１〜Ｓ３においては、図２に示すように、片持ち支持されている支持部材３０の先端部がその隣に位置する他の支持部材３０と互いに連結されて一体になっているので、階段昇降時において支持部材３０が階段奥行き方向に変形することがない。また、隣り合う支持部材３０，３０を一体にすることにより、一の支持部材３０に作用する鉛直荷重がその隣に位置する他の支持部材３０に分散するので、支持部材３０の軽構造化を図ることができる。
【００７９】
また、廻り部Ｃ１，Ｃ２においては、踏板２０’の先端が支柱５０，５０’によって支持されているので、階段昇降時に発生する踏板２０’の鉛直方向への変位・変形が大幅に抑制される。
【００８０】
また、図５に示すように、支持部材３０は、軽構造ながらも剛性が高い平面トラスで構成されているので、階段昇降時において踏板２０に発生する鉛直方向への変位・変形が非常に小さい。また、支持部材３０が軽構造であるが故に、結果として階段全体の軽構造化を図ることができる。
【００８１】
さらに、図３に示すように、柱材１１の片面に二つの接続部１３を形成したので、一つの柱材１１の片面に二つの支持部材３０を接合することができ、かつ、階段奥行き方向に隣り合う接続部１３，１３の間隔が踏面寸法間隔に設定されているので、各接続部１３に支持部材３０を接合するとともに、支持部材３０に踏板２０を支持固定するだけで階段奥行き方向に隣り合う二つの踏板２０を所定の踏面寸法間隔で配設することができる。
【００８２】
また、柱材１１と柱連結材１５との接合および柱材１１と支持部材３０との接合に際しては、柱材１１の接続部１３に形成した連結溝１３ａに柱連結材１５の接続端部１５ａおよび支持部材３０の端部（第一支持フレーム材３１の接続端部３１ａおよび第二支持フレーム材３２の接続端部３２ａ）を嵌合するだけで、柱連結材１５および支持部材３０を柱材１１に接合することができる。また、柱連結材１５および支持部材３０の接合に際して溶接や特別な工具を必要としないので、作業性がよく、熟練工も不要である。さらに、連結溝１３ａが長手方向（鉛直方向）に沿って形成され、かつ、長手方向（鉛直方向）に等断面を有しているので、支持部材３０を構成する各フレーム材の接続端部を鉛直方向にスライドさせることで、支持部材３０の接合位置（取付高さ）を自由に調節することができる。
【００８３】
なお、柱材１１は、前記した折曲り階段だけでなく、様々な平面形式の階段に共通して使用することができる。
【００８４】
すなわち、図１２（ａ）に示すように、複数の柱材１１を平面視して直線状に連設して柱列部１０を構成するとともに、その片面に支持部材３０および踏板２０を配置すれば、直階段を構築することができる。さらに、図１２（ｂ）に示すように、複数の柱材１１を円弧状に連設して柱列部１０を構成するとともに、その片面に支持部材３０および踏板２０を配置すれば回り階段を構築することもできる。
【００８５】
また、柱材１１は、本体部１２の対向する二つの外側面のそれぞれに接続部１３が形成されているので、対向する二つの側面のそれぞれに支持部材３０を接合することができる。したがって、図１３に示すように、三方が壁体Ｗに囲まれた階段室内の中央に複数の柱材１１を直線状に連設して柱列部１０を構成するとともに、その両側に支持部材３０および踏板２０を配置すれば、折返し階段を構築することもできる。この場合、踏板２０（支持部材３０）が柱材１１の両側に張り出すことになるので、階段全体のバランスがよい。
【００８６】
また、前記した実施形態では、踏板２０の片側に柱列部１０を配置したが、これに限定されることはなく、図１４に示すように、各踏板２０の両側に柱列部１０を配設するとともに、左右に対向する柱材１１の側面間に支持部材３０を架設し、この支持部材３０の上面に踏板２０を支持固定してもよい。この場合、支持部材３０が両端支持となるので、階段昇降時に発生する踏板２０の鉛直方向への変位・変形を抑制することができる。また、踏板２０の両側に柱列部１０，１０が位置して手摺壁や間仕切りの役目を果たすので、外階段等に好適である。
【００８７】
また、図１５（ａ）に示すように、奥行き方向に隣り合う柱材１１，１１間のスペースを利用して収納スペース６０を形成してもよい。例えば、図１５（ｂ）に示すように、柱材１１，１１を連結する柱連結材１５に開口部６１を設け、この開口部６１に扉６２を取り付けることで、収納棚、郵便受などとして利用することが可能となる。また、収納スペース６０に水道管や電線などを配管・配線してもよい。
【００８８】
なお、前記した実施形態では、直線部Ｓ１〜Ｓ３の支持部材３０は、柱材１１に片持ち支持されていたが、廻り部Ｃ１，Ｃ２の支持部材３０’と同様に、支持部材３０を階下Ｆ１に立設された支柱（図示せず）により支持してもよい。
【００８９】
また、前記した実施形態では、支持部材３０を複数のフレーム材で構成したが、このような構成に限定されることはなく、適宜変更して差し支えない。さらに、前記した実施形態では、直線部Ｓ１〜Ｓ３において、一つの支持部材３０で一つの踏板２０を支持する構成であったが、このような構成に限定されることはなく、例えば、図示は省略するが、二つの支持部材３０で一つの踏板２０を支持する構成であってもよい。この場合、柱材１１の一つの接続部１３に二つの支持部材３０，３０が蹴上げ高さ間隔をあけて接合されることになる。
【００９０】
また、前記した実施形態では、柱材１１と隅柱材１１’とで、その構成が異なる場合を例示したが、これに限定されることはなく、例えば、隅柱材１１’と同一の構成を有する複数の柱材で柱列部１０を構成してもよい。このようにすると、一種類の柱材をより多くの部位に共通して用いることができるので、非常に経済的である。
【００９１】
【発明の効果】
本発明に係る階段によれば、複数の柱材のそれぞれに踏板を支持させる構成としたので、この柱材の配置パターンを変えることで、様々な平面形式の階段を容易に構成することができる。
【００９２】
また、本発明に係る階段用柱材は、様々な平面形式の階段に共通して使用することができるため、生産効率が高く、結果として経済的に階段を構築することができる。また、接続部が本体部の長手方向に沿って形成されているので、支持部材の取付高さを自由に調節することができる。
【図面の簡単な説明】
【図１】本発明に係る階段を示す平面図である。
【図２】同じく斜視図である。
【図３】柱材（階段用柱材）を説明する斜視図である。
【図４】（ａ）（ｂ）は同じく断面図である。
【図５】支持部材を示す正面図である。
【図６】（ａ）は支持部材を構成する第一支持フレーム材を示す斜視図、（ｂ）は同じく正面図、（ｃ）（ｄ）（ｅ）は第一支持フレーム材の加工方法を説明する模式図である。
【図７】（ａ）は支持部材を構成する第二支持フレーム材を示す斜視図、（ｂ）は同じく正面図である。
【図８】（ａ）は図１のＡ−Ａ矢視図、（ｂ）は図５のＢ−Ｂ断面図である。
【図９】本発明に係る階段の構築手順を説明する斜視図である。
【図１０】同じく本発明に係る階段の構築手順を説明する斜視図である。
【図１１】同じく本発明に係る階段の構築手順を説明する斜視図である。
【図１２】（ａ）（ｂ）は本発明に係る階段の変形例を示す平面図である。
【図１３】本発明に係る階段の他の変形例を示す平面図である。
【図１４】本発明に係る階段のさらに他の変形例を示す平面図である。
【図１５】（ａ）は隣り合う柱材の間に収納スペースを設けた状態を示す平面図、（ｂ）は同じく斜視図である。
【符号の説明】
１０      柱列部
１１      柱材（階段用柱材）
１１’    隅柱材（階段用柱材）
１２      本体部
１３      接続部
１３ａ    連結溝
１５      柱連結材
１５ａ    接続端部
２０，２０’    踏板
３０，３０’    支持部材
３１，３１’    第一支持フレーム材
３１ａ    接続端部
３２      第二支持フレーム材
３２ａ    接続端部
３３      ハブ
３３ａ    連結溝
４１，４２      第一連結フレーム材
５０，５０’    支柱
５１，５２      第二連結フレーム材
６０      収納スペース
【図１】
2004218240.tif 000003
【図２】
2004218240.tif 000004
【図３】
2004218240.tif 000005
【図４】
2004218240.tif 000006
【図５】
2004218240.tif 000007
【図６】
2004218240.tif 000008
【図７】
2004218240.tif 000009
【図８】
2004218240.tif 000010
【図９】
2004218240.tif 000011
【図１０】
2004218240.tif 000012
【図１１】
2004218240.tif 000013
【図１２】
2004218240.tif 000014
【図１３】
2004218240.tif 000015
【図１４】
2004218240.tif 000016
【図１５】
2004218240.tif 000017